(57)【要約】【課題】パラレルデータを任意の輝度を示すデータに設定可能するときにも、１００％の輝度を示すパラレルデータと黒レベルを示すパラレルデータとに切り換える操作を簡単化する。【解決手段】ビットスイッチＳ１〜Ｓ８のオンオフ状態に対応したパラレルデータを信号線Ｌ１〜Ｌ８を用いて出力する輝度データ設定部１と、パラレルデータに対応した輝度を示す表示駆動信号３１を液晶表示モジュール１３に送出する表示信号回路２とを備えた構成において、レベル切換スイッチ１８のオンオフの切り換えに対応して、表示信号回路２に導かれるパラレルデータを、ビットスイッチＳ１〜Ｓ８のオンオフ状態に対応したパラレルデータと黒レベルを示すパラレルデータとに切り換えるレベル切換部３を備える。【選択図】  図１
0003111703.tif 000002
【実用新案登録請求の範囲】
【請求項１】
複数の信号線のそれぞれに対応するビットスイッチが設けられ、ビットスイッチのオンオフ状態に対応したパラレルデータを前記複数の信号線を用いて出力する輝度データ設定部と、
前記複数の信号線を介して導かれたパラレルデータに対応した輝度を示す表示駆動信号を、検査対象であり且つバックライトが設けられた液晶表示モジュールに送出する表示信号回路と、
バックライトを点灯駆動する点灯駆動出力を生成して液晶表示モジュールに送出するバックライト駆動回路とを備え、
複数の信号線のそれぞれは抵抗を介してプラス電源に接続されるとともにそれぞれに対応するビットスイッチの一方の端子に接続され、全てのビットスイッチの他方の端子は接地された液晶表示モジュール検査装置において、
レベル切換スイッチが設けられ、レベル切換スイッチのオンオフの切り換えに対応して、表示信号回路に導かれるパラレルデータを、ビットスイッチのオンオフ状態に対応したパラレルデータと黒レベルを示すパラレルデータとに切り換えるレベル切換部と、
バックライト輝度スイッチとを備え、
レベル切換部は、複数の信号線のそれぞれについて設けられ、アノードが信号線に接続されるとともにカソードが互いに接続されてレベル切換スイッチの一方の端子に接続されたダイオードを備え、
レベル切換部に設けられたレベル切換スイッチの他方の端子は接地され、
バックライト駆動回路は、バックライト輝度スイッチのオンオフに対応して点灯駆動出力のレベルを変化させることにより、バックライトの輝度を、製品としての規定の輝度と、１００％の輝度を示すパラレルデータに対応した表示における液晶表示モジュールの画素のばらつきの視認が容易となる輝度とに変化させることを特徴とする液晶表示モジュール検査装置。
【請求項２】
複数の信号線のそれぞれに対応するビットスイッチが設けられ、ビットスイッチのオンオフ状態に対応したパラレルデータを前記複数の信号線を用いて出力する輝度データ設定部と、
前記複数の信号線を介して導かれたパラレルデータに対応した輝度を示す表示駆動信号を、検査対象である液晶表示モジュールに送出する表示信号回路とを備えた液晶表示モジュール検査装置において、
レベル切換スイッチが設けられ、レベル切換スイッチのオンオフの切り換えに対応して、表示信号回路に導かれるパラレルデータを、ビットスイッチのオンオフ状態に対応したパラレルデータと黒レベルを示すパラレルデータとに切り換えるレベル切換部を備えたことを特徴とする液晶表示モジュール検査装置。
【請求項３】
液晶表示モジュールにはバックライトが設けられ、
バックライトを点灯駆動する点灯駆動出力を生成して液晶表示モジュールに送出するバックライト駆動回路と、
バックライト輝度スイッチとを備え、
バックライト駆動回路は、バックライト輝度スイッチのオンオフに対応して点灯駆動出力のレベルを変化させることにより、バックライトの輝度を、製品としての規定の輝度と、１００％の輝度を示すパラレルデータに対応した表示における液晶表示モジュールの画素のばらつきの視認が容易となる輝度とに変化させることを特徴とする請求項２に記載の液晶表示モジュール検査装置。
【考案の詳細な説明】
【技術分野】
【０００１】
本考案は、パラレルデータに対応した輝度を示す表示駆動信号を、検査対象である液晶表示モジュールに送出する液晶表示モジュール検査装置に係り、より詳細には、パラレルデータを、ビットスイッチの設定に対応したパラレルデータと黒レベルを示すパラレルデータとに切り換えるスイッチを備えた液晶表示モジュール検査装置に関する。
【背景技術】
【０００２】
液晶表示モジュールを製造するラインでは、ラインの最終近くの工程において、液晶表示モジュールの動作の確認検査を行っており、図５は、動作の確認検査に使用される検査装置の従来技術を示している。すなわち、検査対象となる液晶表示モジュール（以下では、ＬＣＤモジュールと称する）１３は、水平駆動回路６、垂直駆動回路７、液晶パネル８、および、バックライト９を備えていて、ＬＣＤ基板９１に設けられた表示信号回路２により生成された表示駆動信号を液晶パネル８に表示する。一方、表示信号回路２は、メイン基板１１より送出される８ビットの信号線Ｌ１〜Ｌ８を介して導かれるたパラレルデータに対応した輝度を示す表示駆動信号を生成する。このため、検査においては、液晶パネル８に表示される無地画像の輝度が、ビットスイッチＳ１〜Ｓ８の設定に対応した輝度となるかどうかを調べている（第１の従来技術とする）。
【０００３】
また、以下に示す技術が提案されている（第２の従来技術とする）。すなわち、この技術では、液晶パネルを駆動する垂直駆動回路から出力される検査用信号と、液晶パネルを駆動する水平駆動回路から出力される検査用信号とが導かれたゲート素子を設けている。そして、ゲート素子の出力波形を外部において観測することで、垂直駆動回路が正常に動作しているかどうかと、水平駆動回路が正常に動作しているかどうかとを検査している。このため、垂直駆動回路から出力される検査用信号と、水平駆動回路から出力される検査用信号とのそれぞれを外部に導いていた場合に比すると、検査用信号を外部に導くための端子数が、２個から１個に低減される。つまり、検査時以外には使用されない端子の数が少なくなるので、端子に静電気が印加されることによって生じる素子破壊の確率を下げることができる。また、検査時においては、端子の接続を切り換えることなく、水平駆動回路の動作状態と垂直駆動回路の動作状態とを検査できるため、検査時間が短縮されることになる（例えば、特許文献１参照）。
【０００４】
また、以下に示す技術が提案されている（第３の従来技術とする）。すなわち、液晶パネルに設けられ、水平駆動回路から送出される信号を伝送する信号線が、電源オフとなるときに０Ｖに向かって降下する速度と、電源オフとなるときに、ＶＣＯＭが０Ｖに向かって降下する速度とには差異がある。このため、電源をオフする場合、ＶＣＯＭから信号線を見たときには、前記した速度の差異による電圧が発生することになるので、電源オフ時には画面に乱れが生じる。このため、前記信号線とＶＣＯＭとの間に、前記信号線をＶＣＯＭに対して短絡するスイッチ素子を設けている。そして、電源オフとなるときには、スイッチ素子をオンしている。その結果、電源オフとなるときには、前記信号線の電位は直ちにＶＣＯＭの電位に等しくなる。従って、電源をオフしたときの画面の乱れが防止されることになる（例えば、特許文献２参照）。
【特許文献１】特開平７−１３５１５号公報
【特許文献２】特開２００１−４２２８８号公報
【考案の開示】
【考案が解決しようとする課題】
【０００５】
しかしながら、第１の従来技術を用いたときには、以下に示す問題を生じていた。すなわち、製造ラインにおけるＬＣＤモジュール１３の検査では、検査内容が、１００％の輝度を示す表示駆動信号が与えられたとき、液晶パネル８の輝度が規格における１００％の輝度となるかどうかの検査と、０％の輝度を示す表示駆動信号（黒レベルを指示する表示駆動信号）が与えられとき、液晶パネル８の輝度が規格における黒レベルとなるかどうかの検査との２種の検査となることが多い。しかし、検査で見つかった不具合の内容によっては、再現性の問題から、製造ラインにおいて、任意の輝度表示における検査が必要となるので、任意の輝度を表示させる機能を省略することはできない。
【０００６】
一方、１００％の輝度を示す表示駆動信号をＬＣＤモジュール１３に与えるときには、ビットスイッチＳ１〜Ｓ８の全てをオフにする必要があり、０％の輝度を示す表示駆動信号をＬＣＤモジュール１３に与えるときには、ビットスイッチＳ１〜Ｓ８の全てをオンにする必要がある。すなわち、１つのＬＣＤモジュール１３の検査を行うには、８つのビットスイッチＳ１〜Ｓ８の全てをオンにする操作と、８つのビットスイッチＳ１〜Ｓ８の全てをオフにする操作とが必要となり、スイッチ操作に時間を要するため、作業効率の悪化を招いていた。
【０００７】
第２の従来技術は、検査用信号を外部に導くための端子数を、２個から１個に低減する技術となっている。このため、第１の従来技術において生じた問題を解消する観点、すなわち、ＬＣＤモジュール１３の検査時のスイッチ操作を簡単化し、作業効率の向上を図るという観点からは、適用することが困難な技術となっている。
【０００８】
第３の従来技術は、電源オフ時に、信号線とＶＣＯＭとの間に電位差が発生することを防止する技術となっている。このため、第１の従来技術において生じた問題を解消する観点、すなわち、ＬＣＤモジュール１３の検査時のスイッチ操作を簡単化し、作業効率の向上を図るという観点からは、適用することが困難な技術となっている。
【０００９】
本考案は、上記の問題点を解決するため創案されたものであり、その目的は、パラレルデータを任意の輝度を示すデータに設定可能とするときにも、１００％の輝度を示すパラレルデータと０％の輝度を示すパラレルデータとに切り換える操作を簡単化することのでき、且つ、液晶表示モジュールの画素のばらつきの検出を容易にすることのでき、且つ、レベル切換部の構成を簡単化することのできる液晶表示モジュール検査装置を提供することにある。
【００１０】
また本考案の目的は、レベル切換スイッチのオンオフの切り換えに対応して、表示信号回路に導かれるパラレルデータを、ビットスイッチのオンオフ状態に対応したパラレルデータと黒レベルを示すパラレルデータとに切り換えることにより、パラレルデータを任意の輝度を示すデータに設定可能とするときにも、１００％の輝度を示すパラレルデータと０％の輝度を示すパラレルデータとに切り換える操作を簡単化することのできる液晶表示モジュール検査装置を提供することにある。
【００１１】
また、上記目的に加え、バックライトの輝度を、製品としての規定の輝度と、１００％の輝度の表示における液晶表示モジュールの画素のばらつきの視認が容易となる輝度とに切り換え可能とすることにより、液晶表示モジュールの画素のばらつきの検出を容易にすることのできる液晶表示モジュール検査装置を提供することにある。
【課題を解決するための手段】
【００１２】
上記の課題を解決するため、本考案に係る液晶表示モジュール検査装置は、複数の信号線のそれぞれに対応するビットスイッチが設けられ、ビットスイッチのオンオフ状態に対応したパラレルデータを前記複数の信号線を用いて出力する輝度データ設定部と、前記複数の信号線を介して導かれたパラレルデータに対応した輝度を示す表示駆動信号を、検査対象であり且つバックライトが設けられた液晶表示モジュールに送出する表示信号回路と、バックライトを点灯駆動する点灯駆動出力を生成して液晶表示モジュールに送出するバックライト駆動回路とを備え、複数の信号線のそれぞれは抵抗を介してプラス電源に接続されるとともにそれぞれに対応するビットスイッチの一方の端子に接続され、全てのビットスイッチの他方の端子は接地された液晶表示モジュール検査装置に適用している。そして、レベル切換スイッチが設けられ、レベル切換スイッチのオンオフの切り換えに対応して、表示信号回路に導かれるパラレルデータを、ビットスイッチのオンオフ状態に対応したパラレルデータと黒レベルを示すパラレルデータとに切り換えるレベル切換部と、バックライト輝度スイッチとを備えている。また、レベル切換部は、複数の信号線のそれぞれについて設けられ、アノードが信号線に接続されるとともにカソードが互いに接続されてレベル切換スイッチの一方の端子に接続されたダイオードを備えている。また、レベル切換部に設けられたレベル切換スイッチの他方の端子は接地されている。また、バックライト駆動回路は、バックライト輝度スイッチのオンオフに対応して点灯駆動出力のレベルを変化させることにより、バックライトの輝度を、製品としての規定の輝度と、１００％の輝度を示すパラレルデータに対応した表示における液晶表示モジュールの画素のばらつきの視認が容易となる輝度とに変化させる。
【００１３】
すなわち、ビットスイッチのオンオフ状態を、１００％の輝度を示すパラレルデータに対応する状態に設定するときでは、レベル切換スイッチという１つのスイッチのオンオフを切り換えるという簡単な操作するのみで、表示信号回路に導かれるパラレルデータを、１００％の輝度を示すパラレルデータと０％の輝度（黒レベル）を示すパラレルデータとに切り換えることができる。また、バックライト輝度スイッチを用いて、バックライトの輝度を、１００％の輝度を示すパラレルデータに対応した表示における液晶表示モジュールの画素のばらつきの視認を容易にする輝度にすると、液晶表示モジュールの画素のばらつきを容易に視認することができる。また、レベル切換部を、信号線の数に等しい数のダイオードと１つのスイッチとによって構成することができる。
【００１４】
また本考案に係る液晶表示モジュール検査装置は、複数の信号線のそれぞれに対応するビットスイッチが設けられ、ビットスイッチのオンオフ状態に対応したパラレルデータを前記複数の信号線を用いて出力する輝度データ設定部と、前記複数の信号線を介して導かれたパラレルデータに対応した輝度を示す表示駆動信号を、検査対象である液晶表示モジュールに送出する表示信号回路とを備えた液晶表示モジュール検査装置に適用している。そして、レベル切換スイッチが設けられ、レベル切換スイッチのオンオフの切り換えに対応して、表示信号回路に導かれるパラレルデータを、ビットスイッチのオンオフ状態に対応したパラレルデータと黒レベルを示すパラレルデータとに切り換えるレベル切換部を備えている。
【００１５】
すなわち、ビットスイッチのオンオフ状態を、１００％の輝度を示すパラレルデータに対応する状態に設定するときでは、レベル切換スイッチという１つのスイッチのオンオフを切り換えるという簡単な操作するのみで、表示信号回路に導かれるパラレルデータを、１００％の輝度を示すパラレルデータと０％の輝度を示すパラレルデータとに切り換えることができる。
【００１６】
また、上記構成に加え、液晶表示モジュールにはバックライトが設けられ、バックライトを点灯駆動する点灯駆動出力を生成して液晶表示モジュールに送出するバックライト駆動回路と、バックライト輝度スイッチとを備えている。そして、バックライト駆動回路は、バックライト輝度スイッチのオンオフに対応して点灯駆動出力のレベルを変化させることにより、バックライトの輝度を、製品としての規定の輝度と、１００％の輝度を示すパラレルデータに対応した表示における液晶表示モジュールの画素のばらつきの視認が容易となる輝度とに変化させるようになっている。
【００１７】
すなわち、バックライト輝度スイッチを用いて、バックライトの輝度を、１００％の輝度を示すパラレルデータに対応した表示における液晶表示モジュールの画素のばらつきの視認を容易にする輝度にすると、液晶表示モジュールの画素のばらつきを容易に視認することができる。
【考案の効果】
【００１８】
本考案によれば、ビットスイッチのオンオフ状態を、１００％の輝度を示すパラレルデータに対応する状態に設定するときでは、レベル切換スイッチという１つのスイッチのオンオフを切り換えるという簡単な操作するのみで、表示信号回路に導かれるパラレルデータを、１００％の輝度を示すパラレルデータと０％の輝度を示すパラレルデータとに切り換えることができる。且つ、バックライト輝度スイッチを用いて、バックライトの輝度を、１００％の輝度を示すパラレルデータに対応した表示における液晶表示モジュールの画素のばらつきの視認を容易にする輝度にすると、液晶表示モジュールの画素のばらつきを容易に視認することができる。且つ、レベル切換部を、信号線の数に等しい数のダイオードと１つのスイッチとによって構成することができる。このため、パラレルデータを任意の輝度を示すデータに設定可能とするときにも、１００％の輝度を示すパラレルデータと０％の輝度を示すパラレルデータとに切り換える操作を簡単化できる。従って、検査の作業効率を高めることができる。且つ、液晶表示モジュールの画素のばらつきの検出を容易にすることができ、且つ、レベル切換部の構成を簡単化することができる。
【００１９】
また本考案によれば、ビットスイッチのオンオフ状態を、１００％の輝度を示すパラレルデータに対応する状態に設定するときでは、レベル切換スイッチという１つのスイッチのオンオフを切り換えるという簡単な操作するのみで、表示信号回路に導かれるパラレルデータを、１００％の輝度を示すパラレルデータと０％の輝度を示すパラレルデータとに切り換えることができる。このため、パラレルデータを任意の輝度を示すデータに設定可能とするときにも、１００％の輝度を示すパラレルデータと０％の輝度を示すパラレルデータとに切り換える操作を簡単化することができる。つまり、検査の作業効率を高めることができる。
【００２０】
また、さらに、バックライト輝度スイッチを用いて、バックライトの輝度を、１００％の輝度を示すパラレルデータに対応した表示における液晶表示モジュールの画素のばらつきの視認を容易にする輝度にすると、液晶表示モジュールの画素のばらつきの視認が容易となるので、液晶表示モジュールの画素のばらつきの検出を容易にすることができる。
【考案を実施するための最良の形態】
【００２１】
以下、本考案の実施の形態について図を参照して説明する。
【００２２】
図１は、本考案に係る液晶表示モジュール検査装置の一実施形態の電気的構成を示すブロック線図（一部において回路図を含む）であり、図５に示す従来技術と同一となるブロックおよび素子には、図５における符号と同一符号を付与している。
【００２３】
図に示したように、本実施形態は、大別すると、メイン基板１１とＬＣＤ基板１２との２つの基板によって構成されており、ＬＣＤ基板１２に設けられたコネクタ（図示を省略）を介して、検査対象である液晶表示モジュール（以下では、ＬＣＤモジュールと称する）１３は、ＬＣＤ基板１２に接続される。また、メイン基板１１とＬＣＤ基板１２とは、ＦＦＣケーブルによって互いが接続されるようになっている。
【００２４】
また、検査内容は、１００％の輝度を表示させる表示駆動信号３１および０％の輝度（黒レベル）を表示させる表示駆動信号３１を与えたときのそれぞれにおけるＬＣＤモジュール１３の表示状態の検査（コントラストの検査）と、１００％の輝度を表示させる表示駆動信号３１を与えたときのＬＣＤモジュール１３の素子のばらつきの検査（縞模様等の、画面を乱すムラが発生していないかどうかの検査）とからなっている。
【００２５】
ＬＣＤモジュール１３は、具体的には、２．４５インチのＬＣＤモジュールであり、水平駆動回路６、垂直駆動回路７、液晶パネル８、および、バックライト９を備えている。水平駆動回路６は、画像を示す信号とタイミングを示す信号とからなる表示駆動信号３２に従って、液晶パネル８を駆動する駆動信号を生成し、液晶パネル８に送出する。垂直駆動回路７は、垂直方向の走査のタイミングを示す表示駆動信号３３に従って、液晶パネル８を駆動する駆動信号を生成し、液晶パネル８に送出する。バックライト９は、冷陰極管と導光板（図示を省略）とからなり、液晶パネル８の光源を形成する。
【００２６】
メイン基板１１は、輝度を示す８ビットのパラレルデータを生成してＬＣＤ基板１２に出力するブロックとなっている。このため、輝度データ設定部１を備えている。輝度データ設定部１は、８本の信号線Ｌ１〜Ｌ８のそれぞれに対応する８つのビットスイッチＳ１〜Ｓ８（ディップスイッチにより構成されている）を備えている。そして、ビットスイッチＳ１〜Ｓ８のそれぞれの一方の端子は、それぞれに対応する信号線Ｌ１〜Ｌ８に接続され、他方の端子は、その全てが接地されている。また、信号線Ｌ１〜Ｌ８のそれぞれは、それぞれに対応する抵抗Ｒ１〜Ｒ８を介して、プラス電源（３．３Ｖ）に接続されている。
【００２７】
このため、ビットスイッチＳ１〜Ｓ８の全てがオフとなるときには、信号線Ｌ１〜Ｌ８の全てがＨレベルとなって、１００％の輝度を示すパラレルデータが出力される。また、ビットスイッチＳ１〜Ｓ８の全てがオンとなるときには、信号線Ｌ１〜Ｌ８の全てがＬレベルとなって、０％の輝度（黒レベル）を示すパラレルデータが出力される。また、ビットスイッチＳ１〜Ｓ８のオンオフ状態をその他の状態とするときには、そのときのオンオフ状態に対応した輝度を示すパラレルデータが出力される。
【００２８】
ＬＣＤ基板１２は、表示信号回路２、レベル切換部３、バックライト輝度スイッチ４、および、バックライト駆動回路５を備えている。
【００２９】
表示信号回路２は、信号線Ｌ１〜Ｌ８を介して導かれたパラレルデータに対応した輝度を示す表示駆動信号３１（水平駆動回路６に送出する表示駆動信号３２と垂直駆動回路７に送出する表示駆動信号３３とにより構成される）を、検査対象であるＬＣＤモジュール１３に送出する。なお、表示信号回路２は、タイミングコントローラとして従来より使用されているＩＣの内部に集積化された回路となっている。
【００３０】
レベル切換部３は、８つのダイオードＤ１〜Ｄ８とレベル切換スイッチ１８とを備えている。そして、ダイオードＤ１〜Ｄ８のそれぞれのアノードは、対応する信号線Ｌ１〜Ｌ８に接続され、ダイオードＤ１〜Ｄ８のそれぞれのカソードは互いに接続されるとともに、レベル切換スイッチ１８の一方の端子に接続されている。また、レベル切換スイッチ１８の他方の端子は接地されている。
【００３１】
このため、レベル切換スイッチ１８がオフとなるときでは、信号線Ｌ１〜Ｌ８のそれぞれはダイオードＤ１〜Ｄ８から切り離された状態と等価となる。従って、表示信号回路２には、輝度データ設定部１から送出されるパラレルデータが与えられる。また、レベル切換スイッチ１８がオンとなるときでは、信号線Ｌ１〜Ｌ８のそれぞれは、ダイオードＤ１〜Ｄ８を介して接地されることになる。従って、表示信号回路２には、全てがＬレベルであるパラレルデータが与えられる。なお、このときでは、信号線Ｌ１〜Ｌ８のレベルは、０Ｖにはならず、約０．６Ｖになるが、表示信号回路２においては、Ｌレベルと識別される。
【００３２】
すなわち、レベル切換部３は、レベル切換スイッチ１８のオンオフの切り換えに対応して、表示信号回路２に導かれるパラレルデータを、ビットスイッチＳ１〜Ｓ８のオンオフ状態に対応したパラレルデータと、黒レベルを示すパラレルデータとに切り換える。従って、ビットスイッチＳ１〜Ｓ８の全てをオフとするときでは、レベル切換スイッチ１８の操作を行うのみで、表示信号回路２に導かれるパラレルデータを、１００％の輝度を示すパラレルデータと０％の輝度を示すパラレルデータとに切り換えできる。
【００３３】
バックライト駆動回路５は、バックライト９を点灯駆動するための点灯駆動出力３４を生成し、ＬＣＤモジュール１３に送出する。また、バックライト輝度スイッチ４は、バックライト駆動回路５がＬＣＤモジュール１３に送出する点灯駆動出力３４のレベルを切り換える。
【００３４】
詳細には、バックライト駆動回路５は、図２に示したように、インバータ回路２９、２つのトランジスタＱ１，Ｑ２、２つのツェナーダイオードＺＤ１，ＺＤ２、および、２つの抵抗Ｒ１１，Ｒ１２を備えている。
【００３５】
インバータ回路２９は、トランジスタＱ１のエミッタから送出される直流を動作電源として、バックライト９を点灯駆動する点灯駆動出力３４を生成する。このため、トランジスタＱ１のエミッタは、インバータ回路２９の電源入力端子に導かれている。また、トランジスタＱ１のコレクタには、７Ｖのプラス電源２８が導かれている。また、トランジスタＱ１のコレクタとベースとの間には抵抗Ｒ１１が接続されている。
【００３６】
また、トランジスタＱ１のベースには、ツェナーダイオードＺＤ１，ＺＤ２のそれぞれのカソードが接続されている。また、ツェナーダイオードＺＤ１のアノードは接地されており、ツェナーダイオードＺＤ２のアノードは、トランジスタＱ２のコレクタに接続されている。そして、トランジスタＱ２のエミッタは接地され、トランジスタＱ２のベースは、バックライト輝度スイッチ４の一方の端子に導かれている。また、トランジスタＱ２のベースには、抵抗Ｒ１２を介して、プラス電源２８が供給されている。また、バックライト輝度スイッチ４の他方の端子は接地されている。
【００３７】
なお、ツェナーダイオードＺＤ２のツェナー電圧は、ツェナーダイオードＺＤ１のツェナー電圧より低く設定されている。このため、トランジスタＱ２がオンとなるときには、抵抗Ｒ１１を介した電流は、ツェナーダイオードＺＤ１の側には流れず、ツェナーダイオードＺＤ２の側に流れる。その結果、トランジスタＱ１のベースには、ツェナーダイオードＺＤ２によって安定化された電圧が印加される。一方、トランジスタＱ２がオフとなるときには、トランジスタＱ１のベースには、ツェナーダイオードＺＤ１によって安定化された電圧が印加される。
【００３８】
バックライト駆動回路５は上記した構成となっている。従って、バックライト輝度スイッチ４がオンとなり、トランジスタＱ１がオフとなるときには、ツェナーダイオードＺＤ１のツェナー電圧から、トランジスタＱ１のベース・エミッタ間電圧（約０．６Ｖ）を減じた電圧がインバータ回路２９に与えられる（本実施形態では、この電圧は約６Ｖとなっている）。
【００３９】
また、バックライト輝度スイッチ４がオフとなり、トランジスタＱ１がオンとなるときには、ツェナーダイオードＺＤ２のツェナー電圧にトランジスタＱ２のコレクタ・エミッタ間電圧（約０．３Ｖ）を加えた電圧から、トランジスタＱ１のベース・エミッタ間電圧を減じた電圧がインバータ回路２９に与えられる（本実施形態では、この電圧は約４．５Ｖとなっている）。
【００４０】
すなわち、バックライト輝度スイッチ４がオンとなるときには、点灯駆動出力３４のレベルは高くなり、バックライト輝度スイッチ４がオフとなるときには、点灯駆動出力３４のレベルは低くなる。このため、バックライト９の輝度は、バックライト輝度スイッチ４がオンとなるときでは、製品としての規定の輝度となる。一方、バックライト輝度スイッチ４がオフとなるときには、バックライト９の輝度は、１００％の輝度を示すパラレルデータに対応した表示におけるＬＣＤモジュール１３の画素のばらつきの視認が容易な輝度（製品としての規定の輝度よりは充分に低い輝度）となる。
【００４１】
図３、図４は、検査手順を示すフローチャートである。必要に応じて同図を参照しつつ、ＬＣＤモジュール１３の検査手順について説明する。
【００４２】
図示されない電源スイッチを操作することによって、電源オフ状態とする。この状態において、輝度データ設定部１から出力されるパラレルデータを、１００％の輝度を示すパラレルデータとするために、ビットスイッチの全てをオフにする（ステップＳ１）。また、表示信号回路２に導かれるパラレルデータを、０％の輝度（黒レベル）を示すパラレルデータとするために、レベル切換スイッチ１８をオンにする（ステップＳ２）。また、バックライト９の輝度を、製品としての規定の輝度に設定するために、バックライト輝度スイッチ４をオンにする（ステップＳ３）。
【００４３】
次いで、ＬＣＤモジュール１３をＬＣＤ基板１２に接続した後（ステップＳ４）、電源をオンにする（ステップＳ５）。従って、ＬＣＤモジュール１３の液晶パネル８には、黒レベルに対応する無地画像が表示される。このときの表示が規定の表示となっているかどうかを調べる（ステップＳ６）。異常がないときには、レベル切換スイッチ１８をオフとすることによって、パラレルデータを１００％の輝度を示すデータとし、液晶パネル８に１００％の輝度の無地画像を表示させる（ステップＳ７，Ｓ８）。このときの表示が規定の表示となっているかどうかを調べる。すなわち、規定のコントラスが得られているかどうかを調べる（ステップＳ９）。
【００４４】
ＬＣＤモジュール１３に異常がなく、規定のコントラスとなっているときには、バックライト輝度スイッチ４をオフにして、バックライト９の輝度を、１００％の輝度を示す無地画像を液晶パネル８に表示させたとき、液晶パネル８の画素にばらつきがあるかどうか（ばらつきがあるときでは、液晶パネル８に縞模様等が生じる）の視認が容易となる輝度にする（ステップＳ１１）。そして、画素にばらつきがない場合には、電源をオフにし（ステップＳ１２，Ｓ１３）、ＬＣＤモジュール１３をＬＣＤ基板１２から取り外す（ステップＳ１４）。そして、続けて検査を行うときには、動作を、ステップＳ１５からステップＳ２に移行する。また、全てのＬＣＤモジュール１３の検査が終了したときには、動作を終了する。
【００４５】
一方、液晶パネル８に黒レベルの無地画像を表示させたときに異常が見つかったとき（ステップＳ７）、あるいは、液晶パネル８に１００％の輝度の無地画像を表示させたときに異常が見つかったとき（ステップＳ１０）、あるいは、素子のばらつきが見つかったとき（ステップＳ１２）には、動作は、ステップＳ２１に移行する。
【００４６】
ステップＳ２１に移行したときでは、不具合が見つかったＬＣＤモジュール１３について、それまでの検査時と同じＬＣＤ基板１２に接続した状態で、表示させる無地画像の輝度を、１００％の輝度や０％の輝度とは異なる輝度として、さらなる検査を行う必要があるかどうかが調べられる。
【００４７】
さらなる検査が必要であると判定されたときには、レベル切換スイッチ１８をオフとして、表示信号回路２に導かれるパラレルデータを、ビットスイッチＳ１〜Ｓ８により設定されるパラレルデータとした後、ビットスイッチＳ１〜Ｓ８を用いて、検査に必要となる輝度のパラレルデータを表示信号回路２に与える（ステップＳ２２，Ｓ２３）。そして、不具合のさらなる検査を行う。このとき、輝度の変更の必要があるときには、必要に応じてビットスイッチＳ１〜Ｓ８が操作される（ステップＳ２４）。
【００４８】
検査が終了したときには、電源をオフにし、ＬＣＤモジュール１３をＬＣＤ基板１２から取り外す（ステップＳ２５，Ｓ２６）。そして後、動作をステップＳ１に移行し、次のＬＣＤモジュール１３の検査に戻る。一方、ステップＳ７，Ｓ１０，Ｓ１２において異常が見つかったが、製造ラインにおいてさらなる検査を続ける必要がないと判定されたときには、動作は、ステップＳ２１，Ｓ２２からステップＳ２５と移行し、電源がオフされる。そして後、ＬＣＤモジュール１３はＬＣＤ基板１２から取り外される（ステップＳ２６）。
【００４９】
なお、本考案は上記実施形態に限定されず、表示信号回路２に導かれるパラレルデータについては、８ビットのデータである場合について説明したが、その他のビット数のパラレルデータであるときにも、適用することができる。
【００５０】
また、点灯駆動出力３４のレベルを変更するために、バックライト駆動回路５の動作電源の電圧を、６Ｖと、６Ｖの７５％である４．５Ｖとに切り換えているが、規定の輝度とするための電圧と、画素のばらつきの視認を容易にするときの電圧との比率については、検査対象となる液晶表示モジュールの構成に応じて、その液晶表示モジュールに最も最適となる比率とすることが望ましい。
【図面の簡単な説明】
【００５１】
【図１】本考案に係る液晶表示モジュール検査装置の一実施形態の電気的構成を示すブロック線図（一部に回路図を含む）である。
【図２】バックライト駆動回路の詳細な電気的接続を示す回路図（一部にブロック線図を含む）である。
【図３】液晶表示モジュールの検査手順を示すフローチャートである。
【図４】液晶表示モジュールの検査手順を示すフローチャートである。
【図５】従来技術の電気的構成を示すブロック線図（一部に回路図を含む）である。
【符号の説明】
【００５２】
１  輝度データ設定部
２  表示信号回路
３  レベル切換部
４  バックライト輝度スイッチ
５  バックライト駆動回路
９  バックライト
１１  メイン基板
１２  ＬＣＤ基板
１３  液晶表示モジュール
１８  レベル切換スイッチ
３１  表示駆動信号
３４  点灯駆動出力
Ｄ１〜Ｄ８  ダイオード
Ｒ１〜Ｒ８  抵抗
Ｓ１〜Ｓ８  ビットスイッチ
【図１】
0003111703.tif 000003
【図２】
0003111703.tif 000004
【図３】
0003111703.tif 000005
【図４】
0003111703.tif 000006
【図５】
0003111703.tif 000007